(57)【要約】【課題】ＡＬＣパネルを用いた植栽基盤と屋上床面との間に排水用のすき間を確保して、複数の植栽基盤を屋上床面上に同時に且つ確実に固定することができ、高層の強風荷重に対する耐風性を向上させた屋上緑化用植栽基盤の固定構造を提供する。【解決手段】ＡＬＣパネルは、支持台を介して屋上床面に支持されており、水平片と立設片とからなる固定具の該水平片が該支持台の上面に固定されているとともに、該立設片がＡＬＣパネルの小口面に当接され、さらに該立設片に設けられたプレート片が前記ＡＬＣパネルの小口面に嵌入されている。【選択図】    図１
2004250933.tif 000002
【特許請求の範囲】
【請求項１】
ＡＬＣパネルの上に培養土壌が積層された緑化用植栽基盤を、建物の屋上床面に設置固定する緑化用植栽基盤の固定構造であって、該ＡＬＣパネルは支持台を介して屋上床面に支持されており、水平片と立設片とからなる固定具の該水平片が該支持台の上面に固定されているとともに、該立設片が前記ＡＬＣパネルの小口面に当接され、さらに該立設片に設けられたプレート片が前記ＡＬＣパネルの小口面に嵌入されていることを特徴とする緑化用植栽基盤の固定構造。
【請求項２】
前記固定具は、断面略Ｌ字状である請求項１に記載の緑化用植栽基盤の固定構造。
【請求項３】
前記支持台は、角形パイプである請求項１または２に記載の緑化用植栽基盤の固定構造。
【請求項４】
前記固定具は複数のプレート片が設けられており、立設片を挟持するＡＬＣパネルの小口面に対して各プレート片がそれぞれ嵌入されている請求項１〜３のいずれか１項に記載の緑化用植栽基盤の固定構造。
【請求項５】
前記支持台は、接着剤、くぎ、またはボルト／ナットにより屋上床面に固定されている請求項１〜４のいずれか１項に記載の緑化用植栽基盤の固定構造。
【発明の詳細な説明】
【０００１】
【発明の属する技術分野】
本発明は、建造物の屋上などの緑化に使用する緑化用植栽基盤の固定構造に関するものであり、さらに詳しくは、ＡＬＣパネルを用いた緑化用植栽基盤と屋上床面との間に排水用のすき間を確保して、複数の緑化用植栽基盤を屋上床面に同時に且つ確実に固定することができ、高層の強風荷重に対する耐風性を向上させた緑化用植栽基盤の固定構造に関するものである。
【０００２】
【従来の技術】
近年では、都市部の美観や緑化促進の要求から、建造物の屋上やその他の空間、例えばベランダなどに植物を植栽する試みが頻繁になされるようになっている。このような試みの多くにおいては、建造物の屋上床面に載置したコンクリート槽内に土壌を充填し、この土壌に播種、播苗、插し木などを行なうことにより植物を植栽していた。しかし、このような方法では、コンクリート槽および土壌にかなりの重量を必要として、建造物に悪影響を及ぼすばかりか、給水や排水のために排水溝の設置や水の保持のための土壌の選定などの考慮を払わなければならないという問題があった。
【０００３】
そこで、最近では、植栽基盤として軽量なポーラス（多孔質）コンクリートを使用したもの（例えば、特許文献１参照）、およびポーラスコンクリート上に土壌を含む植栽層を積層したもの（例えば、特許文献２および３参照）などが開発され、植栽基盤の軽量化や排水性の改良が図られている。
【０００４】
しかしながら、ポーラスコンクリートは、排水性に優れる反面保水性が悪いこと、アルカリ度が高いため植物の成育に悪影響を与えること、および通常のコンクリートに比べて軽量とはいえかなり重いため取扱性、施工性が悪いことなどの欠点を有していることから、緑化用植栽基盤としての性能を十分に満たすものではなかった。
【０００５】
これに対し、本出願人は、ポーラスコンクリートに比べてさらに軽量で、低アルカリ度であると共に、保水性と排水性のバランスに優れた植栽基盤として、ＡＬＣパネルの上に培養土壌が積層された緑化用植栽基盤（例えば、特許文献４参照）を先に提案している。
【０００６】
ところで、上述した従来の緑化用植栽基盤を建造物の屋上床面に配置するに際しては、一般に植栽基盤またはこの植栽基盤を収納した枠体を屋上床面に単に載置する自重固定方法、あるいは両者の間に接着剤を介して固着する接着固定方法がとられていた。しかし、特に高層の建造物の屋上は常に強風に晒され、ひどい場合には吹き上げによる負の風荷重が植栽基盤にかかることになる。そのため、植栽層が吹き飛ばされたり、植栽基盤に位置ずれを生じるなどの問題をしばしば生じており、特にそれ自体が軽量で自重の小さいＡＬＣパネルを用いた植栽基盤の場合には、強風による問題が一層顕在化していた。
【０００７】
【特許文献１】
特開平４−３７００３８号公報
【特許文献２】
特開平１１−２１８９７号公報
【特許文献３】
特開平１１−４３９４４号公報
【特許文献４】
特願２００２−００５２４２号明細書
【０００８】
【発明が解決しようとする課題】
本発明は、上述した従来技術における問題点の解決を課題として検討した結果達成されたものである。
【０００９】
したがって、本発明の目的は、ＡＬＣパネルを用いた緑化用植栽基盤と屋上床面との間に排水用のすき間を確保して、複数の緑化用植栽基盤を屋上床面上に同時に且つ確実に固定することができ、高層の強風荷重に対する耐風性を向上させた緑化用植栽基盤の固定構造を提供することにある。
【００１０】
【課題を解決するための手段】
本発明の緑化用植栽基盤の固定構造は、ＡＬＣパネルの上に培養土壌が積層された緑化用植栽基盤を、建物の屋上床面に設置固定する緑化用植栽基盤の固定構造であって、該ＡＬＣパネルは支持台を介して屋上床面に支持されており、水平片と立設片とからなる固定具の該水平片が該支持台の上面に固定されているとともに、該立設片が前記ＡＬＣパネルの小口面に当接され、さらに該立設片に設けられたプレート片が前記ＡＬＣパネルの小口面に嵌入されていることを特徴としたものである。
【００１１】
また、本発明の緑化用植栽基盤の固定構造においては、
（１）前記固定具は、断面略Ｌ字状であること、
（２）前記支持台は、角形パイプであること、
（３）前記固定具は複数のプレート片が設けられており、立設片を挟持するＡＬＣパネルの小口面に対して各プレート片がそれぞれ嵌入されていること、
（４）前記支持台は、接着剤、くぎ、またはボルト／ナットにより屋上床面に固定されていること、
がいずれも好ましい条件であり、これらの条件を満たすことによって、さらに優れた効果の発現を期待することができる。
【００１２】
【発明の実施の形態】
以下に、本発明の緑化用植栽基盤の固定構造について、図面にしたがって詳述する。
【００１３】
図１は本発明の緑化用植栽基盤の固定構造の概要説明図、図２は本発明における支持台および固定具の一例を示す斜視説明図、図３は本発明における支持台および固定具の他の例を示す斜視説明図、図４は本発明の緑化用植栽基盤の固定構造の一例を示す一部断面説明図である。
【００１４】
図１、図２および図４に示すように、本発明の緑化用植栽基盤の固定構造は、屋上床面４０に固定された支持台３０と、この支持台３０の上面に固定され、水平片２４と立設片２３とからなる固定具２０と、この固定具２０に支持されたＡＬＣパネル１１の上に培養土壌１２が積層された緑化用植栽基盤１０とからなる。また、この立設片２３はＡＬＣパネル１１の小口面１１ｄに当接され、さらに該立設片２３に設けられたプレート片２５（２５ａ、２５ｂ）が前記ＡＬＣパネル１１ａ、１１ｂの互いに対峙する小口面１１ｄにそれぞれ嵌入されている。また、前記培養土壌１２の上には飛散防止のための植生シート１３が積層されている。
【００１５】
前記固定具２０の各プレート片２５ａ、２５ｂは、一方の緑化用植栽基盤１０のＡＬＣパネル１１ａの小口面１１ｄと、これに隣接する他方の緑化用植栽基盤１０のＡＬＣパネル１１ｂの小口面１１ｄとにそれぞれ嵌入されているため、強固に固定することができる。このことにより、屋上への風の吹き上げによる負の風荷重に晒されても、前記緑化用植栽基盤１０が吹き飛ばされたり、位置ずれを起こしたりすることがない。
【００１６】
また、前記緑化用植栽基盤１０と屋上床面４０との間に、隙間５０が設けられた構造となっている。この結果、前記緑化用植栽基盤１０に吸水された余分な水分の排水機構としての機能を果たすことができるため、スペーサや他の排水機構を設ける必要がなく、経済的であるばかりか、植生植物の水分過多による根腐れなどの被害を未然に防止することができる。
【００１７】
また、本発明において緑化用植栽基盤１０にコンクリートより柔らかく切削しやすいＡＬＣパネル１１が用いられているため、図１に示すように排水用及び根の安定化のための凹溝１１ｃの製作が容易となる。さらに、図４に示すように前記プレート片２５を前記ＡＬＣパネル１１の小口面１１ｄに嵌入させるための、空隙１６の製作が容易となる。また、補強筋１５を内蔵したＡＬＣパネル１１を用いることで、前記緑化用植栽基盤１０の強度がより向上し、風荷重にも十分耐えることができる。
【００１８】
また、図２に示すように前記固定具２０は略Ｌ字状であると、前記支持台３０への固定に際し、前記水平片２４に設けられた穴２６にボルト２７を挿通後、ナット２８で前記支持台３０に容易に固定することができる。また、前記固定具２０は略Ｌ字状のほか、図３に示すように２つの略Ｌ字状の固定片２１の立設片２３同士を固着し、略Ｔ字状の固定具２０’としてもよい。略Ｔ字状とすることで、前記支持台３０に固定具２０’を固定したときにより安定性が向上し好ましいものとなる。
【００１９】
また、前記固定具２０、２０’の水平片２４は、横（Ａ、Ａ’）×縦（Ｂ、Ｂ’）＝１５〜７０ｍｍ×５０〜８０ｍｍ程度、立設片２３の高さ（Ｃ、Ｃ’）は１０〜４０ｍｍ程度、プレート片２５の長さ（Ｄ、Ｄ’）は１０〜２０ｍｍ程度であると、前記各緑化用植栽基盤１０のＡＬＣパネル１１の小口面１１ｄに容易にかつ十分に嵌入させることができ、その結果強固に固定できるため好ましい。
【００２０】
また、支持台３０が角形パイプであると、前記固定具２０、２０’の水平片２４をボルト２７／ナット２８で容易に固定できる。また、その内部が中空であるため軽量化でき、その結果前記屋上床面４０への重量負荷が軽減できるとともに、雨水などが前記支持台３０の内部に溜まることがなくなり、腐食の発生が防止できる。
【００２１】
前記支持台３０の寸法は、縦（Ｅ）×横（Ｆ）×高さ＝５０〜１５０ｍｍ×５０〜１５０ｍｍ×１０〜５０ｍｍ程度が好ましい。このことで、前記各緑化用植栽基盤１０の下方に排水用の隙間を十分確保できるとともに、前記各緑化用植栽基盤１０を前記支持台３０に載置するに十分な面積を確保できるため、安定性が向上する。
【００２２】
また、図２および図３に示すように前記固定具２０、２０’は水平片２４と並行して２つ以上のプレート片２５が設けられている。すなわち、前記立設片２３を挟持するＡＬＣパネル１１の小口面１１ｄに対して、複数個のプレート片２５（図中、２５ａ、２５ｂ、２５ｃ）によりそれぞれ嵌入されているため、より確実にかつ強固に固定できる。尚、前記プレート片２５を嵌入させる際に、接着剤を前記空隙１６内に注入しておくと、抜脱しにくくなるため好ましい。
【００２３】
また、１つの固定具２０、２０’のプレート片２５で隣接する各緑化用植栽基盤１０のＡＬＣパネル１１を同時に固定できるため、施工性も向上し好適である。また、前記固定具２０、２０’の水平片２４および前記支持台３０をボルト２７により、前記屋上床面４０に一体的に固定すると、さらに施工効率や経済性がより向上し好ましい。また、プレート片２５は、前記立設片２３の中間位置に設けても良い。
【００２４】
また、前記支持台３０は接着剤、くぎ、またはボルト／ナットにより屋上床面４０に固定されていると、容易にかつ強固に固定できる。そのことで、屋上への負の風荷重に対して、充分耐えうる強度を確保することができる。また、図３に示すように、前記支持台３０の底側部にフランジ３１を設けた支持台３０’とすると、くぎ、またはボルト／ナットでの固定が容易にできるとともに、前記屋上床面４０での安定性がより向上する。
【００２５】
また、前記屋上床面４０に不陸がある場合には、前記支持台３０、３０’と前記屋上床面４０との間に形成される不陸の高さに応じて前記支持台３０、３０’の高さを設定すると、前記各緑化用植栽基盤１０を同一水平面上に設定することができる。その結果、各ＡＬＣパネルの小口面１１ｄを同一の高さ位置で固定できるとともに、緑化用植栽基盤１０の外観性が向上し好ましいものとなる。
【００２６】
前記固定具２０、２０’や支持台３０、３０’は、防錆性や負の風荷重に対する耐力の点で、鉄、ステンレス、アルミニウム、強化アルミ合金などの金属および強化プラスチックなどにより構成することが好ましい。
【００２７】
以上の構成からなる前記緑化用植栽基盤１０を、前記屋上床面４０上に固定する本発明の施工方法について、実施例に基づいて説明する。
【００２８】
【実施例１】
本発明の固定構造を構築するに際しては、まず図１に示すようにＡＬＣパネル１１の上に縦横に凹溝１１ｃを配置し、その上部に培養土壌１２を積層配置する。さらに、該培養土壌１２の上部にメッシュ状の植生シート１３を積層し、緑化用植栽基盤１０を作製する。前記緑化用植栽基盤１０に用いたＡＬＣパネル１１は、厚さ×縦×横＝５０ｍｍ×６００ｍｍ×６００ｍｍのもので、その内部に縦筋と横筋を緊結しマット状にした補強筋１５を内在したものである。
【００２９】
そして、複数の前記緑化用植栽基盤１０を、屋上床面４０上に並べて敷設する。そして、図４に示すように前記支持台３０上の略中央部に前記立設片２３がくるよう配置する。次に、該水平片２４の略中央部より支持台３０に貫通するよう穴２６をドリルで穿設した。そして該穴２６にボルト２７を挿通し、ナット２８を用いて固定した。前記支持台３０は、厚さ２ｍｍのステンレス製角形パイプ（横（Ｅ）×高さ＝１００ｍｍ×３０ｍｍ）を長さ（Ｆ）１００ｍｍに切断したものである。そして、前記支持台３０は接着剤で屋上床面４０に固定した。
【００３０】
図２に示すように前記固定具２０は、水平片２４（縦（Ａ）×横（Ｂ）＝３０ｍｍ×８０ｍｍ）と立設片２３（横（Ｂ）×高さ（Ｃ）＝８０ｍｍ×３０ｍｍ）とからなり、断面略Ｌ字状としたものである。そして、該立設片２３の上端側に方形の３つのプレート片２５（２５ａ、２５ｂ：長さＤ、１０ｍｍ）が一体的に設けられている。さらに、前記プレート片２５ａ、２５ｂは、交互にそれぞれ相反する方向にかつ水平片２４と並行となるように設けられている。また、前記水平片２４の略中央部にボルト２７挿通用の穴２６が設けられている。また、作製に当たっては、厚さ２ｍｍのステンレス製板を用いた。
【００３１】
次に、図４に示すようにプレート片２５ａが前記緑化用植栽基盤１０のＡＬＣパネル１１ａの小口面１１ｄに、またプレート片２５ｂが隣接する他方の緑化用植栽基盤１０のＡＬＣパネル１１ｂの小口面１１ｄにそれぞれ嵌入されているとともに、各ＡＬＣパネル１１ａ、１１ｂは前記支持台３０上に載置される。この時、各プレート片２５ａ、２５ｂを嵌入させる前に、予め各小口面１１ｄを各プレート片２５ａ、２５ｂの形状に合わせて切削しておく（図４、空隙１６）。この作業を順次他の緑化用植栽基盤１０に展開していき、全緑化用植栽基盤１０の固定が完了した時点でその外周部に外枠１４を取付け、本発明の緑化用植栽基盤の固定構造を完成させることができる。
【００３２】
かくして完成した固定構造は、前記緑化用植栽基盤１０が固定具２０に強固に固定された構造であり、そして前記緑化用植栽基盤１０と前記屋上床面４０との間に、隙間５０が保持された状態となる。
【００３３】
【実施例２】
次に、図３に示す支持台３０’および固定具２０’を用いた本発明の固定構造の施工方法について説明する。
【００３４】
前記支持台３０’は、前記実施例１の支持台３０の底側部に２つのフランジ３１（縦（Ｇ）×横（Ｈ）＝３０ｍｍ×１００ｍｍ）を水平に溶接固定したものである。そして、両フランジ３１の略中央部にボルト／ねじ３３の挿通用の穴３２が設けられている。
【００３５】
そして固定具２０’は、実施例１と同じように水平片２４と立設片２３とからなる断面略Ｌ字状とした固定片２１を作製し、２つの固定片２１の該立設片２３同士が互いに接着剤で固着され、断面略Ｔ字状としたものである。また前記固定片２１の上端側に１つのプレート片２５ｃ（長さＤ’：１０ｍｍ）が、水平片２４と同じ方向でかつ並行となるよう設けられている。尚、前記固定片２１には１つの方形プレート片２５ｃを設けたが、複数のプレート片を設けてもよく、またその形状は方形、矩形、半円形、三角形のものでも良い（図示せず）。
【００３６】
前記支持台３０’の固定に際しては、ドリルねじ３３により屋上床面４０へ固定する方法を採用した以外は、前記実施例１と同様の方法で行った。
【００３７】
以上の操作を各緑化用植栽基盤１０の各隣接側部間に順次展開していくことにより、本発明の緑化用植栽基盤の固定構造を完成することができる。
【００３８】
かくして完成した固定構造は、各緑化用植栽基盤１０のＡＬＣパネル１１の小口面１１ｄが、固定具２０’の各プレート片２５ｃにより強固に固定された状態となる。そして、緑化用植栽基盤１０と屋上床面４０との間の不陸の高さに対応した隙間５０が保持された状態となる。
【００３９】
以上のようにして屋上床面４０上に固定された緑化用植栽基盤１０に対しては、様々な植物を植栽することが可能であり、例えばツルマンネングサ、メキシコマンネングサ、メノマンネングサ、オノマンネングサ、マルバマンネングサなどの一般に根茎がそれほど発達しないベンケイソウ科セダム属の植物以外にも、スベリヒユ科およびツル科などの多肉植物、他の観葉植物、開花植物などを植栽することによって、都市部の美観や緑化促進に大きく貢献することができる
【００４０】
【発明の効果】
以上説明したとおり、本発明の緑化用植栽基盤の固定構造によれば、ＡＬＣパネルを用いた緑化用植栽基盤と屋上床面との間に排水用のすき間を確保して、複数の緑化用植栽基盤を屋上床面上に同時に且つ確実に固定することができる。また、高層の強風荷重に対する耐風性を向上させて、安全性と美観を恒久的に確保することが可能である。
【図面の簡単な説明】
【図１】本発明における４つの緑化用植栽基盤の固定構造の概要説明図である。
【図２】本発明における固定具および支持台の一例を示す斜視説明図である。
【図３】本発明における固定具および支持台の他の一例を示す斜視説明図である。
【図４】本発明の緑化用植栽基盤の固定構造の一例を示す一部断面説明図である。
【符号の説明】
１０        緑化用植栽基盤
１１、１１ａ、１１ｂ      ＡＬＣパネル
１１ｃ    凹溝
１１ｄ  ＡＬＣパネル小口面
１２        培養土壌
１３        植生シート
１４    外枠
１５    補強筋
１６    空隙
２０、２０’    固定具
２１    固定片
２３        立設片
２４    水平片
２５、２５ａ、２５ｂ、２５ｃ    プレート片
２６、３２    穴
２７    ボルト
２８    ナット
３０、３０’  支持台
３１      フランジ
３３        ドリルねじ
４０        屋上床面
５０        隙間
Ａ、Ａ’  水平片の縦長さ
Ｂ、Ｂ’  水平片の横長さ
Ｃ、Ｃ’  立設片の高さ
Ｄ、Ｄ’  プレート片の長さ
Ｅ        支持台の縦長さ
Ｆ        支持台の横長さ
Ｇ        支持台フランジ部の縦長さ
Ｈ        支持台フランジ部の横長さ
【図１】
2004250933.tif 000003
【図２】
2004250933.tif 000004
【図３】
2004250933.tif 000005
【図４】
2004250933.tif 000006